(57)【要約】 【課題】  設置の手間やコストを低減できるとともに小屋裏空間を換気できる陸屋根の換気構造を提供すること。【解決手段】  建築物１の換気通路は、パラペット１００と笠木１５０との間の上部空間１６０とパラペット１００の内部空間である隙間１６１および空洞１６２とを備えて、小屋裏空間２０と建築物の外部とを連通している。これにより、パラペット１００に換気構造を設けることができ、従来利用していたような換気金物などの部材が不要となり、これらの換気金物を取り付けるために設けていた孔部も不要となる。従って、これらの換気金物を不要にできるので部品点数が減少し、コストダウンを図れ、さらに作業時の手間も省くことができる。【選択図】 図２
2005139713.tif 000002
【特許請求の範囲】
【請求項１】
周縁部分にパラペットを立設した陸屋根を有する建築物において、
前記パラペットの上方を笠木で覆い、
前記建築物の陸屋根の下層に設けられる小屋裏空間と建築物外部とを連通する換気通路が、前記パラペットと前記笠木との間の空間および前記パラペットの内部空間を備えて形成されている
ことを特徴とした建築物の換気構造。
【請求項２】
請求項１に記載の建築物の換気構造において、
前記笠木は、前記パラペットの一方の側面の上部から、前記パラペットの上端部を経て、前記パラペットの他方の側面の上部までを連続して覆う部材であって、
前記パラペットの少なくとも一方の側面の上部と前記笠木との間に、前記パラペットと前記笠木とを連結する連結部材が設けられて、
この連結部材には、前記笠木と前記パラペットとの間の空間のうち上部空間と建築物の外側とを連通する連通部が設けられる
ことを特徴とした建築物の換気構造。
【請求項３】
請求項１または請求項２に記載の建築物の換気構造において、
前記パラペットは、
陸屋根の外部側に設けられる外側外部壁材と、
陸屋根の内側方向に設けられる内側外部壁材と、
これらの外側外部壁材と内側外部壁材との間のうち上部において前記笠木に対向して設けられる通し部材と、
前記通し部材の下側に設けられるとともにこの通し部材との間で換気通路となる空洞を形成する内部壁材と、
を備え、
前記内部空間は、前記通し部材と前記外側外部壁材または前記内側外部壁材のうち少なくとも一方との間に設けられる隙間および前記空洞とを含んで構成される
ことを特徴とした建築物の換気構造。
【請求項４】
請求項２または請求項３に記載の建築物の換気構造において、
前記連結部材の前記連通部には、連結部材の長手方向に沿って複数のスリット孔が設けられている
ことを特徴とした建築物の換気構造。
【請求項５】
請求項２から請求項４のいずれかに記載の建築物の換気構造において、
前記連結部材には、水切り片が設けられている
ことを特徴とした建築物の換気構造。
【請求項６】
請求項５に記載の建築物の換気構造において、
前記水切り片は、前記笠木側から前記パラペットの側面側に向かって斜め下方向に伸びる第一の水切り片と、前記パラペットの側面側から前記笠木側に向かって斜め下方向に伸びる第二の水切り片とを有し、
前記第一の水切りと前記第二の水切りとは、互いに所定の距離をあけて配置されるとともに、第二の水切り片の先端部から前記連結部材が取り付けられる前記パラペットの側面までの距離が、前記第一の水切り片の先端部から前記連結部材が取り付けられている前記パラペットの側面までの距離よりも短くなる
ことを特徴とした建築物の換気構造。
【請求項７】
請求項３から請求項６のいずれかに記載の建築物の換気構造において、
前記通し部材および内部壁材の表面に防水シートを設けた
ことを特徴とした建築物の換気構造。
【請求項８】
請求項２から請求項７に記載のパラペットの換気構造において、
前記笠木と、前記パラペットの側面および前記連結部材との間にシール部材が設けられている
ことを特徴とした建築物の換気構造。
【請求項９】
請求項８に記載の建築物の換気構造において、
前記シール部材は、前記笠木の端部に設けられ、前記パラペットの側面または前記連結部材に沿ってパラペットの上端部に向かって延びている
ことを特徴とした建築物の換気構造。
【発明の詳細な説明】
【技術分野】
【０００１】
本発明は、陸屋根を用いた建築物の小屋裏空間における換気構造に関する。
【背景技術】
【０００２】
従来、建築物の屋根の下側に設けられる小屋裏空間と建築物の外側とを連通する換気部材によって、建築物の小屋裏空間を換気し、夏の直射日光などによって建築物の温度が上昇しないように小屋裏空間の温度が調整されている。屋根の形状が傾斜屋根であった場合、屋根の軒先に内蔵された吸気口を設け、小屋裏頂部に排気口を設ける換気構造が知られている（例えば特許文献１参照）。特許文献１で示されるような建築物の換気構造では、建築物の外部から隠されていて視認できない部分である軒裏に換気口が設けられているため、目立つことがなく、さらに、換気面積も軒裏の全域に亘って設置可能であるために換気量も多くなり換気能力も大きくなる。
【０００３】
一方、屋根の形状が陸屋根であった場合、陸屋根には軒が設けられないため、軒下に換気口を設けることができない。従って、建築物の換気のためには、図５に示すように、建築物７の外側壁面７１に複数の小屋裏空間と連通する換気金物７２を取り付け、小屋裏空間を換気していた。
【０００４】
【特許文献１】特開平１０−２０５８４７号公報（図３）
【発明の開示】
【発明が解決しようとする課題】
【０００５】
しかしながら、図５のような陸屋根の建築物の換気構造において、少数の換気金物を取り付けただけでは、換気量が少なく、小屋裏空間の換気としては不十分となる。従って、小屋裏空間全体を十分に換気するためには、非常に多くの換気金物７２が必要となる。しかし、このような換気金物７２を建築物７の外周に亘って設けることは、見た目が悪くなり、また、これらの換気金物７２を取り付けるために多くの孔部を設ける必要があり、さらに、これらの孔部と換気金物７２との間全てに防水処理を施す必要があるため、多くの手間とコストがかかる。その上、多くの換気金物７２が必要となるので部品点数が増え、さらにコストがかかってしまう。
【０００６】
本発明の目的は、設置の手間やコストを低減できるとともに小屋裏空間を換気できる陸屋根の換気構造を提供することである。
【課題を解決するための手段】
【０００７】
本発明の陸屋根の換気構造は、周縁部分にパラペット１００を立設した陸屋根１０を有する建築物１において、前記パラペット１００の上方を笠木１５０で覆い、前記建築物１の陸屋根１０の下層に設けられる小屋裏空間２０と建築物１外部とを連通する換気通路が、前記パラペット１００と前記笠木１５０との間の空間および前記パラペットの内部空間を備えて形成されていることを特徴とする。
【０００８】
この発明によれば、前記換気通路は、前記パラペット１００と前記笠木１５０との間の空間および前記パラペット１００の内部空間を備えて、前記小屋裏空間２０と建築物１の外部とを連通している。これにより、陸屋根１０の周縁部分に予め設置される前記パラペット１００に換気構造を設けることができ、従来利用していたような換気金物７２などの部材が不要となる。従って、これらの換気金物７２を不要にできるので部品点数が減少し、コストダウンを図ることができる。また、小屋裏空間と連通して換気金物７２が取り付けられる孔部が不要となり、孔部の防水処理も不要となるうえに、通常の陸屋根１０に設けられるパラペット１００の上端部の隙間を利用して容易に換気構造が設けられるので、手間やコストがかからず、容易に換気構造を形成することができる。
【０００９】
本発明では、前記笠木１５０は、前記パラペット１００の一方の側面の上部から、前記パラペット１００の上端部を経て、前記パラペット１００の他方の側面の上部までを連続して覆う部材であって、前記パラペット１００の少なくとも一方の側面の上部と前記笠木１５０との間に、前記パラペット１００と前記笠木１５０とを連結する連結部材１４０が設けられて、この連結部材１４０には、前記笠木１５０と前記パラペット１００との間の空間のうち上部空間１６０と建築物１の外側とを連通する連通部１４１Ｃが設けられることが好ましい。
【００１０】
この発明によると、前記笠木１５０は、前記パラペット１００の一方の側面の上部から上端部を経て他方の側面の上部に連続して設けられ、少なくとも一方の前記パラペット１００の側面の上部とこの側面と対向する前記笠木１５０とを接続する前記連結部材１４０が設けられ、この連結部材１４０に上部空間１６０と建築物１の外側とを連通する連通部１４１Ｃが設けられている。これにより、前記笠木１５０と前記パラペット１００の側面との間の前記連結部材１４０も前記笠木１５０に覆われることになるので、前記連結部材１４０から前記上部空間１６０に雨水が浸入しにくく、防水性の向上を図れる。
【００１１】
また、前記パラペット１００は、陸屋根１０の外部側に設けられる外側外部壁材１１０と、陸屋根１０の内側方向に設けられる内側外部壁材１２０と、これらの外側外部壁材１１０と内側外部壁材１２０との間のうち上部において前記笠木１５０に対向して設けられる通し部材１３０と、前記通し部材１３０の下側に設けられるとともにこの通し部材との間で換気通路となる空洞１６２を形成する内部壁材１１１，１２１と、を備え、前記内部空間は、前記通し部材１３０と前記外側外部壁材１１０または前記内側外部壁材１２０のうち少なくとも一方との間に設けられる隙間１６１，１６３および前記空洞１６２とを含んで構成されることが好ましい。
【００１２】
この発明によると、前記隙間１６１，１６３は、前記通し部材１３０と前記外側外部壁材１１０または前記内側外部壁材１２０のうち少なくとも一方との間に設けられ、前記換気通路を構成する前記内部空間は、この隙間１６１，１６３と前記空洞１６２とを含んでいる。このとき、この隙間１６１，１６３は、新たに穴あけ作業などにより形成する必要はなく、通し部材１３０と外部壁材１１０，１２０との間で建築物の組立工程上にできる隙間１６１，１６３を利用することができる。従って、換気のために新たに隙間１６１，１６３を作るなどの必要がないので、換気構造を設けるための手間やコストを低減させることができる。
【００１３】
また、本発明では、前記連結部材１４０の前記連通部１４１Ｃには、連結部材１４０の長手方向に沿って複数のスリット孔１４３が設けられていることが好ましい。
【００１４】
この発明によると、複数の前記スリット孔１４３が、前記連通部１４１Ｃに設けられているので、前記連結部材１４０は、建築物１の外側と前記上部空間１６０との間の通風を可能にするとともに、雨水などの水滴の浸入を防ぐことができ、さらに、スリット孔１４３により虫や小動物の侵入をも防ぐことができる。尚、このスリット孔１４３は、一つ設けられているものであってもよく、複数重ねて設けられていてもよい。さらに、スリット孔１４３の形状は、長円形であってもよく、また格子状や、網状のものであってもよい。網状のスリット孔１４３を設けることで、さらに細かい粉塵や小さな虫などの侵入を防ぐことが可能となる。
【００１５】
また、本発明では、前記連結部材１４０には、水切り片が設けられている。
この発明によると、前記連結部材１４０に水切り片が設けられているので、強風などにより雨水が大量に前記連結部材１４０に直接吹き付ける状況であった場合においても、雨水の浸入を防ぐことができる。従って、防水能力をさらに高めることができる。
【００１６】
この時、前記水切り片は、前記笠木１５０側から前記パラペット４００の側面側に向かって斜め下方向に伸びる第一の水切り片４４１Ｅと、前記パラペットの側面側から前記笠木側に向かって斜め下方向に伸びる第二の水切り片４４２Ｂとを有し、前記第一の水切り片４４１Ｅと前記第二の水切り片４４２Ｂとは、互いに所定の距離をあけて配置されるとともに、第二の水切り片４４２Ｂの先端部から前記連結部材４４０が取り付けられる前記パラペット４００の側面までの距離が、前記第一の水切り片４４１Ｅの先端部から前記連結部材４４０が取り付けられている前記パラペット４００の側面までの距離よりも短くなることが好ましい。
【００１７】
この発明によると、前記第一の水切り片４４１Ｅと前記第二の水切り片４４２Ｂとが、互いに所定間隔で配置されるとともに、第二の水切り片４４１Ｅの先端部から前記連結部材４４０が取り付けられる前記パラペット４００の側面までの距離が、前記第一の水切り片４４１Ｅの先端部から前記連結部材４４０が取り付けられている前記パラペット４００の側面までの距離よりも長くなる。これにより、例えば、強風などによって雨水が吹き上げられたとしても、大半の雨水は第一の水切り片４４１Ｅに当たって排水され、残りの雨水も第二の水切り片４４２Ｂに当たってそのまま第二の水切り片４４２Ｂの傾斜および第一の水切り片４４１Ｅの傾斜を伝って排水される。従って、通風可能となる所定の間隔を開けながらも雨水の浸入を抑える事ができ、より防水性を高めることができる。
【００１８】
また、本発明では、前記通し部材１３０および内部壁材１１１，１２１の表面に防水シートを設けることが好ましい。
この発明では、前記上部空間１６０および前記隙間１６１，１６３に接する前記通し部材１３０および内部壁材１１１，１２１の表面に防水処理が施されている。これにより、上部空間１６０や隙間１６１，１６３に雨水が浸入したり、あるいは水蒸気などによって前記上部空間に水滴が侵入したりした場合でも、これらの水滴が部材間の隙間から進入して建築物１内に浸入することがない。また、これらの水滴は晴天時などによって蒸気となり、換気される。従って、換気構造の防水性をより高めることができる。
【００１９】
また、本発明では、前記笠木１５０と、前記パラペット１００の側面および前記連結部材１４０との間にシール部材１５１が設けられていることが好ましい。
この発明によると、前記笠木１５０と、前記パラペット１００の側面および前記連結部材１４０との間に、シール部材１５１が設けられている。これにより、前記上部空間１６０と建築物１外部とは、前記連結部材１４０でのみ連通されることになる。従って、前記連結部材１４０が配置されない前記笠木１５０と前記パラペット１００との間や、前記笠木１５０と前記連結部材１４０との間からの雨水などの浸入を防止できる。
【００２０】
ここで、本発明では、このシール部材１５１は、前記笠木１５０の端部に設けられ、前記パラペット１００の側面または前記連結部材１４０に沿ってパラペット１００の上端部に向かって延びていることが好ましい。
この発明では、前記シール部材１５１は前記パラペット１００の側面または前記連結部材１４０に沿ってパラペット１００の上端方向に延びているので、前記笠木１５０と前記パラペット１００との間を確実にシールでき、しかも、笠木１５０の抜け止めにもなる。従って、シール部材１５１の密着性があがることで防水性がよくなり、また、簡単に笠木１５０を固定することができる。
【発明を実施するための最良の形態】
【００２１】
以下、本発明の実施の形態を図面に基づいて説明する。
【００２２】
［第一の実施の形態］
図１〜図３は第一の実施の形態の陸屋根を有する建築物の換気構造が示されている。
図１は第一の実施の形態の建築物の一部を断面した斜視図である。図２は、図１のパラペットから小屋裏空間までを拡大した断面図である。図３は、図２のパラペットの部分を拡大した断面図である。
【００２３】
図１において、１は、陸屋根１０を有する建築物である。この建築物１は、図示しない土台の上に建築物本体が設けられ、この建築物本体に陸屋根１０が設けられている。この建築物本体には、複数階からなる室内空間３０が設けられ、室内空間３０と陸屋根１０との間に小屋裏空間２０が形成されている。なお、この建築物１は、工場で各建物ユニットやパネルを製造して現場に搬送し、現場で組み立て作業を行うユニット式建物やパネル式建物であってもよく、また、現場に資材を搬送して組み立てる在来工法による建物であってもよい。
【００２４】
陸屋根１０は、その外周縁に沿って形成されるパラペット１００と、このパラペット１００に囲まれる部分に形成される屋上部１０１とを備え、この屋上部１０１は、傾斜が非常に小さい平坦な形状であり、表面には図示しない防水層が形成されている。この防水層には、例えば、アスファルト防水やシート防水、モルタル防水や塗膜防水などが用いられる。また、特に防水層が設けられず、スラブ自身の防水性に頼るものであっても構わない。
【００２５】
また、この屋上部１０１の周縁に沿って、排水溝１０２（図２参照）が設けられている。図２において、排水溝１０２は、パラペット１００と隣接して設けられているが、所定距離だけ離して形成されているものであってもよい。この排水溝１０２は、例えば、屋上部１０１の隅部に図示しない排水口などが設けられている。この排水口は建築物１の外壁１１に取り付けられる図示しない樋などと接続されていて、これによって陸屋根１０の屋上部１０１の雨水などを排水している。また、第一の実施の形態における屋上部１０１は、全て平坦に形成されているが、例えば、小屋裏空間２０および室内空間３０と屋上部１０１との出入りを可能とするペントハウスなどが設けられていてもよい。
【００２６】
パラペット１００は、図２、図３に示すように、屋上部１０１から立ち上がって形成される内側外部壁材１２０と、外壁１１の上方に設けられる外側外部壁材１１０と、この外側外部壁材１１０および内側外部壁材１２０の間に配置される通し部材１３０と、この通し部材１３０を支持する補助通し部材１３１と、補助通し部材１３１に当接し外側外部壁材１１０および内側外部壁材１２０と平行に立設される外側内部壁材１１１および内側内部壁材１２１とを備えている。また、このパラペット１００の上端および両側面の上端側を覆って笠木１５０が設けられている。
【００２７】
内側外部壁材１２０および外側外部壁材１１０は、パラペット１００の両側面を形成している。この外壁１１および外側外部壁材１１０は、例えば、ＡＬＣ（オートクレーブライトコンクリート）などで形成されている。また、外壁１１および外側外部壁材１１０は、表面に防水層を形成するための塗装が施されている。内側外部壁材１２０は、陸屋根１０と連続して形成され、これらの内側外部壁材１２０および陸屋根１０はＡＬＣなどで形成されている。また、内側外部壁材１２０は、屋上部１０１と同様に表面に防水層を形成したものであってもよい。
【００２８】
通し部材１３０は、パラペット１００の上端部に沿って、外側外部壁材１１０と内側外部壁材１２０との間に所定間隔の隙間１６１Ａ，１６３Ａを設けて配置されている。通し部材１３０は、通常、木製のものであるが、これに限られず、コンクリートや、鋼鉄などの金属製であってもよい。
【００２９】
補助通し部材１３１は、通し部材１３０より幅寸法が小さく形成されていて、その両側面において、外側外部壁材１１０側には、外側内部壁材１１１が固定され、内側外部壁材１２０側には、内側内部壁材１２１が固定されている。これらの外側内部壁材１１１、内側内部壁材１２１および補助通し部材１３１によって、通し部材１３０は支持されている。
【００３０】
外側外部壁材１１０と外側内部壁材１１１との間の上方の一部は所定間隔だけあけて隙間１６１Ｂが形成されている。この隙間１６１Ｂは、通し部材１３０と外側外部壁材１１０との間に形成された隙間１６１Ａと連通して隙間１６１を形成している。同様に内側内部壁材１２１と内側外部壁材１２０との間には隙間１６３Ａと連通する隙間１６３Ｂが設けられて隙間１６３を形成している。
【００３１】
補助通し部材１３１の下側で、外側内部壁材１１１と内側内部壁材１２１との間は、空洞１６２となっている。そして、外側内部壁材１１１には換気孔部１１３が形成されていて、この換気孔部１１３によって、隙間１６１と空洞１６２とが連通している。尚、隙間１６１，１６３は、パラペット１００の組み立て工程において生じる隙間であればよく、穴あけ作業などによって形成される必要はない。
【００３２】
また、通し部材１３０および外側内部壁材１１１の表面には、防水シート１３３が設けられていて、水滴などパラペット１００内部から建築物１内部に侵入しないようにしている。尚、防水シート１３３は、その他内側内部壁材１２１の表面などに設けられていてもよく、すなわち、水滴の浸入が考えられる位置に設けられるものであればよい。
【００３３】
笠木１５０は、パラペット１００の内側外部壁材１２０の上部と、上端部の通し部材１３０と、パラペット１００の外側外部壁材１１０の上部とを連続して覆う部材である。パラペット１００は、例えば、アルミなどの板金を押出成型したり、プレス成型したり、あるいはプラスチックを押出成型したりすることで形成されている。笠木１５０の外側表面は、塗装などによって防水処理されている。笠木１５０は、通し部材１３０の上端面に対向する面に設けられる笠木設置突起１５３と、笠木１５０の内側外部壁材１２０側面の端部およびパラペット１００の内側外部壁材１２０の間に設けられる連結部材１４０と、笠木１５０の端部およびパラペット１００の外側外部壁材１１０の間に設けられるシール部材１５１とを備えている。
【００３４】
笠木設置突起１５３は、通し部材１３０の上端面と対向する面の内側外部壁材１２０側と外側外部壁材１１０側とに設けられている。この笠木設置突起１５３の先端は鉤爪状の突出部が外部側に向かって形成されている。そして、通し部材１３０の上端面には、先端が内側に鉤爪状の突起となる係合突起部材１３２が設けられていて、この係合突起部材１３２の先端部の突起と笠木設置突起１５３の先端部の突出部とが係合して笠木１５０をパラペット１００に固定している。このように笠木１５０を固定することで笠木１５０とパラペット１００との間に上部空間１６０が形成される。
【００３５】
連結部材１４０は、笠木１５０の内側外部壁材１２０側の端部の内面側と、パラペット１００の内側外部壁材１２０の上端部とを連結している。連結部材１４０は、アルミやステンレスなどの金属を、押出成型したりプレス成型したりすることにより形成されている。この連結部材１４０は、パラペット１００および笠木１５０に沿って陸屋根１０の周縁全域に設けられている。連結部材１４０は、建築物の外側と上部空間１６０とを連通させる連通部１４１Ｃを有する第一連結部材１４１と、第一連結部材１４１に内側外部壁材１２０に固定される第二連結部材１４２とを備えている。
【００３６】
第一連結部材１４１は、基端部において通し部材１３０にねじ止めなどによって固定される固定部１４１Ａと、この固定部１４１Ａと略垂直に形成されて笠木１５０の端部方向に略水平に延びる水平部１４１Ｂと、水平部１４１Ｂと所定の角度で屈折して複数のスリット孔１４３が設けられている連通部１４１Ｃと、連通部１４１Ｃから下方に伸びる通路形成部１４１Ｄと、通路形成部１４１Ｄから所定の角度で伸びる第一の水切り片１４１Ｅとを備えている。
【００３７】
固定部１４１Ａは、通し部材１３０の内側外部壁材１２０側の側面に、例えばねじ止めや接着剤などにより固定されている。尚、この固定には、その他各種の固定方法が用いられてもよく、また、固定位置についても通し部材１３０の内側外部壁材１２０側の側面に限らず、例えば通し部材１３０の上端面であってもよい。
【００３８】
固定部１４１Ａから略垂直に折り曲げられて水平に伸びて水平部１４１Ｂが形成され、この水平部１４１Ｂは、笠木１５０との間に空間を形成して換気通路の一部となる。連通部１４１Ｃには、長手方向によって複数のスリット孔１４３が設けられている。このスリット孔１４３の形状は、略楕円形状に形成され、さらにこのスリット孔１４３の他に網状部材などを重ねて設ける構造としてもよい。このスリット孔１４３は、上部空間１６０と建築物の外側との連通を可能にしている。また、外側外部壁材１１０の上端面には面材１７０が設けられ、この面材１７０にもスリット孔１４３が形成されている。
【００３９】
通路形成部１４１Ｄは連通部１４１Ｃから下方向に向かって伸び、その端部に第一の水切り片１４１Ｅが形成されている。
【００４０】
第二連結部材１４２は、一端部に設けられて第一連結部材１４１の水平部１４１Ｂに当接する当接部１４２Ｂと、他端部に設けられる第二の水切り片１４２Ｄと、その中間部に当接部１４２Ｂから略垂直に折り曲げられて内側外部壁材１２０の外側面に固定される固定部１４２Ａと、固定部１４２Ａから折り返して上方に伸びる折り返し部１４２Ｃとを備えている。
【００４１】
当接部１４２Ｂは、水平部１４１Ｂと当接して、例えば溶接などによって固定されている。これにより、水平部１４１Ｂと当接部１４２Ｂとの間から雨水などが浸入しないようになっている。固定部１４２Ａには、笠木１５０側において、折り返し部１４２Ｃが当接している。そして、これらの折り返し部１４２Ｃおよび固定部１４２Ａは、この折り返し部１４２Ｃの笠木１５０側から固定部１４２Ａを貫通するねじによって内側外部壁材１２０に固定されている。
【００４２】
第二の水切り片１４２Ｄは、折り返し部１４２Ｃの端部から笠木１５０側に向かって斜め下方向に伸びて形成されている。前述した第一の水切り片１４１Ｅと、この第二の水切り片１４２Ｄとで、連結部材１４０から雨水などが浸入することを防いでいる。これらの第二の水切り片１４２Ｄと、第一の水切り片１４１Ｅとは、所定寸法の間隔が開けられて配置されていて、この間隔が換気通路の一部となる。
また、台風時などにおいて、強風を伴う雨がこの連結部材１４０の下方から吹き上げられた場合においては、第一の水切り片１４１Ｅによって笠木１５０側から浸入しようとする雨水を防ぐことができ、第二の水切り片１４２Ｄによって内側外部壁材側から進入しようとする雨水の浸入を防ぐことができる。この場合においても、換気通路が確保されているので、雨水の浸入を抑えつつ換気を行うことができる。また、第二の水切り片１４２Ｄおよび第一の水切り片１４１Ｅはそれぞれ斜め下方向に伸びているため、雨水はこの傾斜を伝って排水される。
【００４３】
シール部材１５１は、例えば、ゴムや合成樹脂などの弾性部材によって形成されている。このシール部材１５１は、一端が笠木１５０の端部のシール支持部１５２に固定されている。
【００４４】
シール部材１５１は、基端部が断面略円形に形成されていて、この円形部はシール支持部１５２で挟持固定されている。シール部材１５１はシール支持部１５２から一旦下方に伸び、円弧を描くように上方に伸びて外側外部壁材１１０と当接している。そして、シール部材１５１は、弾性力によって外側外部壁材１１０側に付勢されていて、外側外部壁材１１０に密着している。また、シール部材１５１は、外側外部壁材１１０（または連結部材１４０）に沿って上方に所定寸法伸びていて、これにより、当接する面積を増やして防水性を高め、さらに、笠木１５０の抜け止めとしても機能している。
【００４５】
このような建築物１の換気構造について説明する。図１ないし図３において、建築物１の換気通路は、矢印で示されている。すなわち、建築物１は、外気から、連結部材１４０のスリット孔１４３、上部空間１６０、隙間１６１、換気孔部１１３、空洞１６２を通って、小屋裏空間２０まで連通していて、これを換気通路としている。そして、小屋裏空間２０と各室内空間３０とは、図示しない隙間より換気可能とされている。この隙間は、建築物１の建築工程において生じる隙間を利用するものであってよい。このようにパラペット１００より換気可能となる小屋裏空間２０を形成することで、直射日光により小屋裏空間２０が熱せられてもこの換気通路より容易に換気ができるので、著しく小屋裏空間２０の温度が上がることがない。
【００４６】
また、水切り片１４１Ｅ，１４２Ｄやスリット孔１４３があるために雨水などが浸入しにくい構造となっている。もし、スリット孔１４３を抜けて雨水が浸入したとしても通し部材１３０および外側内部壁材１１１の表面には防水シート１３３設けられているので、雨水などの水滴が浸透したりしない。この通し部材１３０の上端面などの防水シートが設けられる部分が換気通路となっているので、仮に水滴が浸入してそこに水がたまったとしても、晴天時には蒸発して換気されることになるので湿気がたまる事がない。
【００４７】
第一の実施の形態によると、次のような効果が得られる。
（１）建築物１の換気通路は、パラペット１００と笠木１５０との間の上部空間１６０とパラペット１００の内部空間である隙間１６１および空洞１６２とを備えて、小屋裏空間２０と建築物の外部とを連通している。これにより、パラペット１００に換気構造を設けることができ、従来利用していたような換気金物などの部材が不要となり、これらの換気金物を取り付けるために設けていた孔部も不要となる。従って、これらの換気金物を不要にできるので部品点数が減少し、コストダウンを図れ、さらに作業時の手間も省くことができる。また、通常の陸屋根１０に設けられるパラペット１００の上端部の隙間を利用して容易に換気構造が設けられるので、手間やコストがかからず、容易に換気構造を形成することができる。
【００４８】
（２）笠木１５０は、パラペット１００の内側外部壁材１２０の上部から上端部を経て外側外部壁材１１０の上部に連続して設けられ、パラペット１００の内側外部壁材１２０の上部と内側外部壁材１２０と対向する笠木１５０の端部とを接続する連結部材１４０が設けられ、この連結部材１４０に上部空間１６０と建築物の外側とを連通する連通部１４１Ｃが設けられている。これにより、連結部材１４０も笠木１５０に覆われることになるので、連通部１４１Ｃから雨水が浸入しにくく、防水性の向上を図れる。
【００４９】
（３）通し部材１３０および外側内部壁材１１１と外側外部壁材１１０との間に設けられる隙間１６１は、新たに穴あけ作業などにより形成する必要はなく、パラペットを組み立てる工程において通し部材１３０と外側外部壁材１１０との間にできる隙間を利用することができる。従って、換気のために新たに隙間を作るなどの必要がないので、換気構造を設けるための手間やコストを低減させることができる。
【００５０】
（４）複数のスリット孔１４３が、連通部１４１Ｃに設けられているので、連結部材１４０は、建築物の外側と上部空間１６０との間の通風を可能にするとともに、雨水などの水滴の浸入を防ぐことができ、さらに、スリット孔１４３により虫や小動物の侵入をも防ぐことができる。
【００５１】
（５）スリット孔１４３以外に連結部材１４０に水切り片１４１Ｅ，１４２Ｄが設けられている。これにより、強風などにより雨水が大量に前記連通部に直接吹き付ける状況であった場合においても、雨水の浸入を防ぐことができる。従って、防水能力をさらに高めることができる。
【００５２】
（６）上部空間１６０および隙間１６１に接する通し部材１３０および外側内部壁材１１１の表面に防水シート１３３が設けられている。これにより、水切り片１４１Ｅ，１４２Ｄおよびスリット孔１４３を通って雨水が浸入したり、あるいは水蒸気などによって上部空間１６０に水滴が侵入したりした場合でも、これらの水滴が部材間の隙間から進入して建築物内に浸入することがない。また、これらの水滴は晴天時などによって蒸気となり、換気される。従って、換気構造の防水性をより高めることができる。
【００５３】
（７）シール部材１５１はパラペット１００の外側外部壁材１１０に沿ってパラペット１００の上端方向に延びているので、笠木１５０とパラペット１００との間を確実にシールでき、しかも、笠木１５０の抜け止めにもなる。従って、シール部材１５１の密着性があがることで防水性がよくなり、また、簡単に笠木１５０を固定することができる。
【００５４】
（８）連結部材１４０はパラペット１００の内側外部壁材１２０と笠木１５０とを連結して、この連結部材１４０の連通部１４１Ｃで上部空間１６０と建築物の外側とを連通している。これにより、連通部１４１Ｃを備える連結部材１４０は陸屋根１０の内側に設けられ、強風を伴った雨が吹きつけたとしても陸屋根１０の屋上部１０１があるので、連結部材１４０を外側外部壁材側に取り付けたときに比べて、連結部材１４０に雨水が入りにくい。
【００５５】
［第二の実施の形態］
次に本発明の第二の実施の形態について図４を基に説明する。図４は第二の実施の形態の断面図である。なお、第一の実施の形態と同一および類似した構成については同符号で示し、ここでの説明を省略または簡略する。
図４において、パラペット４００は、外壁１１の上端に設けられる外側外部壁材１１０と、パラペット４００の通し部材１３０と、通し部材１３０の下側に補助通し部材１３１および外側内部壁材４１１とを有している。このパラペット４００は、内側外部壁材を有しておらず、代わりに表面に塩ビシートが張られている。そして、このパラペット４００の上端および側面の上部を覆うように笠木１５０が設けられている。
【００５６】
パラペット４００の内側内部壁材１２１および通し部材１３０の屋上部１０１側には、例えば塩ビシートなどの防水層４２３が設けられていて、雨水などの浸透を防止している。このパラペット４００の上部には、防水層４２３の上から例えばブチルテープなどの図示しない防水シートを介して連結部材４４０が取り付けられている。この連結部材４４０によって、笠木１５０とパラペット４００とが連結されている。
【００５７】
この連結部材４４０は、上部空間１６０と建築物の外側とを連通する連通部４４１Ｃを備えた第一連結部材４４１と、第一連結部材４４１に当接して第二の水切り片を形成する第二連結部材４４２とを備えている。これらの連結部材４４０は第一の実施の形態の連結部材１４０と同様に、アルミやステンレスなどの金属性部材を押出成型したりプレス成型したりすることにより形成され、パラペット４００に沿って陸屋根１０の周縁全域に設けられている。
【００５８】
第一連結部材４４１は、基端部に形成される固定部４４１Ａと、固定部４４１Ａの端部から形成される連通部４４１Ｃと、連通部４４１Ｃから上方に伸びる通路形成部４４１Ｄと、通路形成部４４１Ｄの先端部に設けられる第一の水切り片４４１Ｅとを備えている。固定部４４１Ａには、通し部材１３０への固定を行うための図示しないねじ孔が設けられていて、このねじ孔より通し部材１３０にねじ止めされている。また、連結部材４４０と通し部材との間には、前述したようにブチルゴムなどのシート部材が設けられているので、ねじ孔より水が浸入することはない。
【００５９】
連通部４４１Ｃは、固定部４４１Ａに対して略垂直かつ略水平となるように形成されている。この連通部４４１Ｃは、複数のスリット孔４４３を有し、このスリット孔４４３で上部空間１６０と建築物の外部とが連通している。スリット孔４４３の形状や大きさはとくに限定されず、例えば、大きめの略長円形状のものであってもよく、非常に細かい網状のものであってもよい。また、スリット孔４４３が設けられる連通部４４１Ｃの面上に、例えば目の細かい網などを配置してもよい。
【００６０】
通路形成部４４１Ｄは、連通部４４１Ｃから上方に向かって略垂直かつパラペット４００の側面と対向して形成されている。この通路形成部４４１Ｄパラペット４００との間の空間は上部空間１６０と連通して換気通路の一部となる。
【００６１】
通路形成部４４１Ｄの端部からパラペット４００の側面に向かって斜め下方向に第一の水切り片４４１Ｅが延びている。
【００６２】
第二連結部材４４２は、通し部材１３０に固定される固定部４４２Ａと、固定部４４２Ａの端部から形成される第二の水切り片４４２Ｂとが備え付けられる。固定部４４２Ａは、第一連結部材４４１の固定部４４１Ａと同様通し部材１３０に図示しないねじ孔が設けられている。そして、このねじ孔からねじ止めなどによって通し部材１３０の側面に固定されている。
【００６３】
第二の水切り片４４２Ｂは、固定部４４２Ａから笠木１５０に向かって、所定の角度で斜め下方向に伸びて形成されている。この第二の水切り片４４２Ｂは、前述した第一の水切り片４４１Ｅとともに連結部材４４０から上部空間に水が浸入するのを防止している。これらの水切り片４４１Ｅ，４４２Ｂは、連通部４４１Ｃよりも上方に設けられていて、連通部４４１Ｃのスリット孔を抜けてきた雨水などがこれらの水切り片４４１Ｅ，４４２Ｂに当たって排出される。また、第一の水切り片４４１Ｅの先端部からパラペット４００の側面部までの距離を距離Ｌ１、第二の水切り片４４２Ｂの先端部からパラペット４００の側面部までの距離を距離Ｌ２とすると、距離Ｌ１は、距離Ｌ２よりも短小となるようにこれらの水切り片４４１Ｅ，４４２Ｂが形成されている。従って、この連結部材４４０での換気通路は、図４中矢印でしめすように屈折していて、雨水などが浸入しにくい構造となっている。
【００６４】
このようなパラペット４００の換気構造における換気通路も、第一の実施の形態と同様に行われる。すなわち、小屋裏空間２０と建築物の外側とは、連結部材４４０の連通部４４１Ｃのスリット孔４４３、上部空間１６０、隙間１６１、空洞１６２を通る換気通路にて連通され、換気されている。
【００６５】
第二の実施の形態の建築物１の換気通路では、第一の実施の形態で得られた（１）〜（８）の交換の他に、次のような効果が得られる。
（９）第一の水切り片４４１Ｅと第二の水切り片４４２Ｂが、互いに所定間隔で配置されるとともに、第二の水切り片４４２Ｂの先端部から連結部材４４０が取り付けられるパラペット４００の側面までの距離Ｌ２が、第一の水切り片４４１Ｅの先端部から連結部材４４０が取り付けられているパラペット４００の側面までの距離よりも長くなる。これにより、例えば、強風などによって雨水が吹き上げられたとしても、大半の雨水は第一の水切り片４４１Ｅに当たって排水され、残りの雨水も第二の水切り片４４２Ｂに当たってそのまま第二の水切り片４４２Ｂの傾斜および第一の水切り片４４１Ｅの傾斜を伝って排水される。従って、通風可能となる所定の間隔を開けながらも雨水の浸入を抑える事ができ、より防水性を高めることができる。
（10）第一連結部材４４１および第二連結部材４４２の双方を通し部材の側面部にねじ止めによって固定するので、内側外部壁材１２０がないような構造のパラペット４００においても容易に換気構造を取り付けることができ、組み立て性の向上が図れる。
【００６６】
なお、本発明は前述の実施形態に限定されるものではなく、本発明の目的を達成できる範囲での変形、改良等は本発明に含まれるものである。
例えば、第一、および第二の実施の形態では、連結部材１４０，４４０を内側外部壁材１２０側、または内側内部壁材１２１側に設けた換気構造としたが、これに限らない。例えば、連結部材１４０，４４０は、外側外部壁材１１０と笠木１５０との間に設けられているものであってもよく、外側外部壁材１１０側と内側外部壁材１２０側の双方に設けられているものであっても良い。このように外側外部壁材１１０側と内側外部壁材１２０側の双方に連結部材１４０を設けた構造とした場合、さらに小屋裏空間２０の換気能力を向上させることができる。しかし、外壁側に連結部材を設けた場合、強風を伴った雨天時などでは、雨水が直接吹き付けられて上部空間１６０にまで雨水が浸入するおそれがある。これに対して内側外部壁材１２０側にのみ連結部材１４０，４４０を設けた場合は、陸屋根１０の屋上部１０１である程度風や雨の勢いを抑える事ができるので強風などの影響を減らすことができ、上部空間１６０への雨水などの浸入を抑える事ができる。
【００６７】
また、第一の実施の形態において、外側内部壁材１１１と外側外部壁材１１０との間の隙間１６１を換気通路としているが、これに限らない。例えば、通し部材１３０および内側内部壁材１２１と内側外部壁材１２０との間の隙間１６３を換気通路としてもよく、また、これらの隙間１６１，１６３の双方を換気通路としてもよい。このように双方の隙間１６１，１６３を換気通路とした場合、換気通路が広く確保できるので、換気能力を向上させることができる。しかし、内側外部壁材１２０と通し部材１３０および内側内部壁材１２１との隙間１６３は、内側外部壁材１２０側に設けられる連結部材１４０からの距離が近くなるため、その分水滴などの浸入も多くなる可能性がある。これに対し、外側外部壁材１１０側に隙間１６１を設けた場合、連結部材１４０からの距離が遠くなり、水滴などが連結部材１４０を通り抜けて進入したとしても通し部材１３０上の防水シートに落ちることになるので、パラペット内部まで水滴が浸入することがない。
【００６８】
第一および第二の実施の形態において、パラペットの上端部から換気する換気構造を示したが、これに加えて従来のような換気金物（図５参照）を建築物の外周に付加した構造であってもよい。このような構造であれば、従来のように多くの換気金物が不要となり、さらにパラペットの上端部と換気金物とから換気ができるので換気能力を向上させることができる。
【００６９】
第一および第二の実施の形態において、通し部材１３０の上面にスリット孔１４３を有する面材１７０を設けているが、これに限らない。例えば、隙間１６１に網部材などを設けた構造であってもよい。このようにすることで、スリット孔１４３より細かい網目を用いれば、隙間からの小動物の侵入をさらに防止することができる。
【産業上の利用可能性】
【００７０】
本発明は、前述した陸屋根を有する建築物に利用できる他、その他のフラット屋根構造を有する建築物や傾斜の緩やかな屋根を有する建築物において、その屋根の周縁部または内部においてパラペットを有する建築物に利用可能である。
【図面の簡単な説明】
【００７１】
【図１】本発明の第一の実施の形態にかかる建築物の一部を断面した斜視図である。
【図２】第一の実施の形態の建築物のパラペットを断面したときの拡大図である。
【図３】第一の実施の形態の建築物のパラペットの上部の拡大断面図である。
【図４】本発明の第二の実施の形態の建築物のパラペットの上部の拡大断面図である。
【図５】従来の建築物の換気構造を示す全体斜視図である。
【符号の説明】
【００７２】
１…建築物。
１０…陸屋根。
１１…外壁。
２０…小屋裏空間。
１００…パラペット。
１１０…外側外部壁材。
１１１…外側内部壁材。
１１３…換気孔部。
１２０…内側外部壁材。
１２１…内側内部壁材。
１３０…通し部材。
１３３…防水シート。
１４０，４４０…連結部材。
１４１Ｃ，４４１Ｃ…連通部。
１４１Ｅ，４４１Ｅ…第一の水切り片。
１４２Ｄ，４４２Ｂ…第二の水切り片。
１６０…上部空間。
１６１…隙間。
１６２…空洞
【図１】
2005139713.tif 000003
【図２】
2005139713.tif 000004
【図３】
2005139713.tif 000005
【図４】
2005139713.tif 000006
【図５】
2005139713.tif 000007